【手続補正書】
【提出日】平成19年11月8日(2007.11.8)
【手続補正１】
【補正対象書類名】明細書
【補正対象項目名】特許請求の範囲
【補正方法】変更
【補正の内容】
【特許請求の範囲】
【請求項１】  ４原色以上の原色数を有するカラー画像出力手段と、
４次元以上の入力色情報を上記カラー画像出力手段に入力するに先立って、当該入力色情報を上記カラー画像出力手段の各原色のカラー画像信号に変換する色変換手段と
を備えた色再現システムであって、
上記入力色情報は、標準観測者からのずれを表す色情報を含むことを特徴とする色再現システム。
【請求項２】  上記標準観測者からのずれを表す色情報は、少なくとも標準観測者からの人種、個人差、老化によるずれのいずれかを表す色情報を含むことを特徴とする請求項１記載の色再現システム。
【請求項３】  上記標準観測者からのずれを表す色情報は、ＣＩＥ１９６４表色系の色情報を含むことを特徴とする請求項１記載の色再現システム。
【請求項４】  上記標準観測者からのずれを表す色情報は、標準観測者の等色関数との差を表す関数を用いて算出されることを特徴とする請求項１記載の色再現システム。
【請求項５】
４原色以上の原色数を有するカラー画像出力手段と、
４次元以上の入力色情報を上記カラー画像出力手段に入力するに先立って、当該入力色情報を上記カラー画像出力手段の各原色のカラー画像信号に変換する色変換手段とを備えた色再現システムであって、
上記入力色情報は、複数の異なる色知覚特性を有する観測者の色情報を含むことを特徴とする色再現システム。
【手続補正２】
【補正対象書類名】明細書
【補正対象項目名】００１１
【補正方法】変更
【補正の内容】
【００１１】
【課題を解決するための手段】
上記の目的を達成するために、第１の発明は、４原色以上の原色数を有するカラー画像出力手段と、４次元以上の入力色情報を上記カラー画像出力手段に入力するに先立って、当該入力色情報を上記カラー画像出力手段の各原色のカラー画像信号に変換する色変換手段とを備えた色再現システムであって、上記入力色情報は、標準観測者からのずれを表す色情報を含む。
【手続補正３】
【補正対象書類名】明細書
【補正対象項目名】００１２
【補正方法】変更
【補正の内容】
【００１２】
また、第２の発明は、第１の発明に係る色再現システムにおいて、上記標準観測者からのずれを表す色情報は、少なくとも標準観測者からの人種、個人差、老化によるずれのいずれかを表す色情報を含む。
【手続補正４】
【補正対象書類名】明細書
【補正対象項目名】００１３
【補正方法】変更
【補正の内容】
【００１３】
また、第３の発明は、第１の発明に係る色再現システムにおいて、上記標準観測者からのずれを表す色情報は、ＣＩＥ１９６４表色系の色情報を含む。
【手続補正５】
【補正対象書類名】明細書
【補正対象項目名】００１４
【補正方法】変更
【補正の内容】
【００１４】
また、第４の発明は、第１の発明に係る色再現システムにおいて、上記標準観測者からのずれを表す色情報は、標準観測者の等色関数との差を表す関数を用いて算出される。
【手続補正６】
【補正対象書類名】明細書
【補正対象項目名】００１５
【補正方法】変更
【補正の内容】
【００１５】
また、第５の発明は、４原色以上の原色数を有するカラー画像出力手段と、４次元以上の入力色情報を上記カラー画像出力手段に入力するに先立って、当該入力色情報を上記カラー画像出力手段の各原色のカラー画像信号に変換する色変換手段とを備えた色再現システムであって、上記入力色情報は、複数の異なる色知覚特性を有する観測者の色情報を含む。
【手続補正７】
【補正対象書類名】明細書
【補正対象項目名】００１６
【補正方法】削除
【補正の内容】
【手続補正８】
【補正対象書類名】明細書
【補正対象項目名】００２６
【補正方法】変更
【補正の内容】
【００２６】
拡張等色関数ｃj （λ）（ｊ＝１〜５）は、多数の人の等色実験から得られた等色関数を基に統計的に個人差を含めた等色関数をよく表す関数として算出される。カメラの分光感度データｈi （λ）（ｉ＝１〜１６）、撮影照明光スペクトルデータＥm （λ）、観察照明光スペクトルデータＥo （λ）、及び拡張等色関数ｃj （λ）（ｊ＝１〜５）も被写体特性データと同様に３８０ｎｍから７８０ｎｍの波長領域において１ｎｍ間隔でデータをもっている。
【手続補正９】
【補正対象書類名】明細書
【補正対象項目名】００２７
【補正方法】変更
【補正の内容】
【００２７】
変換データ算出装置４０２はデータ記憶装置４０１に記憶されているカメラの分光感度データ、撮影照明光スペクトルデータ、被写体特性データ、観察照明光スペクトルデータ、及び拡張等色関数を入力し、マルチバンドカメラ１０１から入力される分光反射率ｆ（λ）の被写体のマルチバンド画像データＧi （ｉ＝１〜１６）を次式により表される５次元表色値Ｃj （ｊ＝１〜５）に変換するための５×１６の入力色変換マトリクスＭinを算出する。
【手続補正１０】
【補正対象書類名】明細書
【補正対象項目名】００４６
【補正方法】変更
【補正の内容】
【００４６】
拡張等色関数の線形和により表される等色関数を持つ観察者に対しては（１）式と上式より、
【数１１】
2002149148.tif 000001
と表される。ここで、５次元表色値（Ｃ1 ，Ｃ2 …，Ｃ5 ）は
【数１２】
2002149148.tif 000002
により算出される。また、αx(k)、βx(k)、αy(k)、βy(k)、αz(k)、βz(k)、はそれぞれ各個人（ｋ）により異なる係数である。これより、Ｓ（λ）とは異なるスペクトルＳ′（λ）の５次元表色値（Ｃ′1 ，Ｃ′2 …，Ｃ′5 ）がＳ（λ）の５次元表色値（Ｃ1 ，Ｃ2 …，Ｃ5 ）と等しければ、任意の人（ｋ）はＳ（λ）とＳ′（λ）を同じ色と知覚することが分かる。
【手続補正１１】
【補正対象書類名】明細書
【補正対象項目名】００５６
【補正方法】変更
【補正の内容】
【００５６】
撮影設定により、１）〜５）のデータのうち使用するデータの識別データｒ、及び拡張等色関数の次元数Ｎが設定される。データ記憶装置８０１に記憶されているデータのうち拡張等色関数以外のデータは、第１実施の形態で説明したものと同様なので説明は省略する。変換データ算出装置８０２はデータ記憶装置８０１に記憶されているカメラの分光感度データ、撮影照明光スペクトルデータ、被写体特性データ、観察照明光スペクトルデータ、拡張等色関数とその識別データｒ及び拡張等色関数の次元数Ｎを入力し、マルチバンドカメラ１０１から入力される分光反射率ｆ（λ）の被写体のマルチバンド画像データＧi （ｉ＝１〜１６）を次式により表されるＮ次元表色値Ｃj （ｊ＝１〜Ｎ）に変換するためのＮ×１６の入力色変換マトリクスＭinを算出する。
【手続補正１２】
【補正対象書類名】明細書
【補正対象項目名】００８３
【補正方法】変更
【補正の内容】
【００８３】
変換データ算出装置１２０２はデータ記憶装置１２０１に記憶されているカメラの分光感度データ、撮影照明光スペクトルデータ及び被写体特性データを用いて、マルチバンドカメラ１０１から入力される被写体のマルチバンド画像データＧi （ｉ＝１〜１６）を３８０［ｎｍ］〜７８０［ｎｍ］の波長領域において１［ｎｍ］間隔でデータをもつ４０１次元の分光反射率データｆ（λ）に変換するための４０１×１６の入力色変換マトリクスＭinを算出する。